(57)【要約】【課題】両吐出物が混ざりやすい２液型エアゾール製品を提供すること。【解決手段】２種のエアゾール組成物を吐出する２液型エアゾール製品であって、吐出後の吐出物が、一方の吐出物が他方の吐出物により包囲された二重吐出物を形成し、包囲された内側吐出物が外側吐出物よりも密度が小さい２液型エアゾール製品。【選択図】図１
2015163658.tif 000002
【特許請求の範囲】
【請求項１】
２種のエアゾール組成物を吐出する２液型エアゾール製品であって、
吐出後の吐出物が、一方の吐出物が他方の吐出物により包囲された二重吐出物を形成し、
包囲された内側吐出物が外側吐出物よりも密度が小さい２液型エアゾール製品。
【請求項２】
前記内側吐出物の密度が０．００１〜０．１０ｇ／ｍｌである請求項１記載の２液型エアゾール製品。
【請求項３】
前記外側吐出物の密度が０．０３〜１．０ｇ／ｍｌである請求項１または２記載の２液型エアゾール製品。
【請求項４】
前記内側吐出物と外側吐出物の密度の比率が１．０：１．５〜１．０：２００である請求項１〜３のいずれか１項に記載の２液型エアゾール製品。
【請求項５】
前記内側吐出物が通過する内側経路と、外側吐出物が通過する外側経路とが吐出孔まで独立している吐出部材を備えた請求項１〜４のいずれか１項に記載の２液型エアゾール製品。
【請求項６】
前記内側経路が、外側経路よりも短い吐出部材を備えた請求項５記載の２液型エアゾール製品。
【発明の詳細な説明】
【技術分野】
【０００１】
本発明はエアゾール製品に関する。さらに詳しくは、２種のエアゾール組成物を吐出する２液型エアゾール製品に関する。
【背景技術】
【０００２】
従来、２液式染毛剤などの２種類の吐出物を混合して使用する２液型エアゾール製品が知られている。これらの２液型エアゾール製品は２種類の吐出物を混合している間などに吐出物が垂れ落ちないようにするため、粘度の高いクリームの状態や、発泡させた状態で混合することが一般的である。しかし、これらの製品は吐出物が混ざりにくいという問題があり、混合が不十分な状態で使用された場合は、当該染毛剤の本来の効果が発揮されないという問題がある。
【０００３】
特許文献１には、第１内容物および第２内容物の吐出物の泡比重が、吐出直後から経時的に小さくなる２液式発泡性エアゾール製品が開示されており、吐出物をゆっくりと発泡させることで吐出物が混合しやすくなることが記載されている。しかしながら、吐出直後は液体に近く液だれしやすいという問題がある。
【０００４】
特許文献２には、少なくとも一方に液化ガスを含有する第１組成物と第２組成物とを、液体状態で混合させてから発泡させ、その後、吐出する２液混合吐出装置が開示されている。この吐出装置は、装置内において液体状態の両組成物を混合するため、確実に混合することができるが、液体状態を維持するために本体内の通路を狭くする必要があり、吐出操作後も吐出が続くアフタードローが多くなるという問題がある。
【０００５】
特許文献３の実施例５（図２１〜２４）には、第１液層と、第１液層の上下左右を囲繞する第２液層とで構成された二重構造の吐出物を吐出できる二液吐出器が開示されている。しかしながら、この二液吐出器を構成する吐出具は両液層がノズルに導出されるまでに混合される構造であるため、内側の第１液層が発泡性の吐出物である場合は、ノズル内で発泡が開始してしまい、ノズルから吐出された際に第１液層の一部が第２液層に囲繞されていないという問題がある。特に、２液式染毛剤である場合は、ノズル内で反応した吐出物が残留し黒く固まりやすく、次回に吐出される吐出物と共に吐出されるという問題がある。また、第１液と第２液の吐出物の発泡性を変えることは考慮されていない。
【先行技術文献】
【特許文献】
【０００６】
【特許文献１】特開２０１２−１４０３６８号公報
【特許文献２】特開２０１３−７９０８２号公報
【特許文献３】特開２０１２−５１５８２号公報
【発明の概要】
【発明が解決しようとする課題】
【０００７】
本発明は、両吐出物が混ざりやすい２液型エアゾール製品を提供することを目的とする。
【課題を解決するための手段】
【０００８】
本発明は、２種のエアゾール組成物を吐出する２液型エアゾール製品であって、吐出後の吐出物が、一方の吐出物が他方の吐出物により包囲された二重吐出物を形成し、包囲された内側吐出物が外側吐出物よりも密度が小さい２液型エアゾール製品に関する。
【０００９】
前記内側吐出物の密度が０．００１〜０．１０ｇ／ｍｌであることが好ましい。
【００１０】
前記外側吐出物の密度が０．０３〜１．０ｇ／ｍｌであることが好ましい。
【００１１】
前記内側吐出物と外側吐出物の密度の比率が１．０：１．５〜１．０：２００であることが好ましい。
【００１２】
前記内側吐出物が通過する内側経路と、外側吐出物が通過する外側経路とが吐出孔まで独立している吐出部材を備えた２液型エアゾール製品であることが好ましい。
【００１３】
前記内側経路が、外側経路よりも短い吐出部材を備えた２液型エアゾール製品であることが好ましい。
【発明の効果】
【００１４】
本発明の２液型エアゾール製品によれば、一方の吐出物が他方の吐出物により包囲された二重吐出物を形成し、包囲された内側吐出物が外側吐出物よりも密度が小さいため、内側吐出物が膨張し外側吐出物を押し広げて膨らむ。そのため、両吐出物が接触する面積が広くなり、混ざりやすい２液型エアゾール製品を提供することができる。
【図面の簡単な説明】
【００１５】
【図１】本発明のエアゾール製品に係る一実施形態の一部断面図（Ａ）および切断線Ｘ−Ｘでの断面図（Ｂ）である。
【図２】本発明のエアゾール製品に係る他の実施形態の側面断面図である。
【図３】本発明のエアゾール製品に係る他の実施形態の側面断面図である。
【図４】本発明のエアゾール製品に係る他の実施形態の側面断面図である。
【発明を実施するための形態】
【００１６】
本発明のエアゾール製品は、２種のエアゾール組成物を吐出する２液型エアゾール製品であって、一方の吐出物が他方の吐出物により包囲された二重吐出物を形成し、包囲された内側吐出物が外側吐出物よりも密度が小さいことを特徴とする。
【００１７】
本発明における「一方の吐出物が他方の吐出物により包囲された二重吐出物」とは、吐出直後に形成する吐出物が、一方の吐出物（内側吐出物）が他方の吐出物（外側吐出物）により包み囲われた吐出物であり、内側吐出物の一部を除く全て、好ましくは全てが外側吐出物に包囲され、吐出直後は外部と接触していない吐出物をいう。
【００１８】
当該二重吐出物を形成することにより、例えば内側吐出物が臭気を有する組成物である場合でも、吐出直後に臭気が周囲に漏れることを抑制することができる。
【００１９】
内側吐出物の一部を除く全てが外側吐出物に包囲される二重吐出物を形成する場合の内側吐出物が包囲されない一部としては、吐出開始直後の先頭面が挙げられる。吐出開始直後は、噴射ボタンを押し込む力の具合や容器内の状態により、内側吐出物が外側吐出物に先んじて吐出される場合があり、この場合の吐出物の先頭面では内側吐出物が外部に露出するおそれがある。しかし、本願発明の効果が損なわれない限り、一部のみが包囲されていない吐出物も、本発明における一方の吐出物が他方の吐出物により包囲された二重吐出物に含むものとする。
【００２０】
また、本発明における「内側吐出物が外側吐出物よりも密度が小さい」とは、内側吐出物が外側吐出物に比べて発泡率が大きく密度が小さいことをいう。具体的には、内側吐出物が発泡性吐出物であり外側吐出物が非発泡性吐出物である場合、内側吐出物および外側吐出物の両方が発泡性吐出物であり内側吐出物の方が発泡時間が長いまたは発泡率が大きい場合などをいう。
【００２１】
内側吐出物が外側吐出物よりも密度が小さいことにより、前記二重吐出物は吐出後、外側吐出物を押し広げながら内側吐出物が発泡および拡大し、場合によっては外側吐出物を切り開いて発泡および拡大する。これにより、拡大した内側吐出物の表面に外側吐出物が薄く延ばされて付着した状態となり、両吐出物が接触する面積が広くなるため、内側吐出物と外側吐出物との混合が容易となる。なお、外側吐出物を切り開いて内側吐出物が発泡および拡大した場合は、内側吐出物の一部が露出してもよい。
【００２２】
本発明の２液型エアゾール製品の実施形態を添付の図面を参照して説明するが、これらの形態に限定されるものではない。
【００２３】
図１（Ａ）および（Ｂ）に示すエアゾール製品は、２本のエアゾール製品Ａ１およびＡ２、ならびに２本のエアゾール製品を連結して両エアゾール製品に充填されたエアゾール組成物を二重吐出物として吐出する２液吐出装置からなる。
【００２４】
エアゾール製品Ａ１およびＡ２は、エアゾール容器と各エアゾール容器に充填されたエアゾール組成物（エアゾール製品Ａ１に充填されたエアゾール組成物ａ１およびエアゾール製品Ａ２に充填されたエアゾール組成物ａ２）とからなる。エアゾール容器としては特に限定されず、例えば図１に示す有底筒状の耐圧容器の開口部にステムを備えたエアゾールバルブが固着されたエアゾール容器などを用いることができる。
【００２５】
前記耐圧容器としては下端が底部によって閉じられた円筒状の胴部と、胴部の上端から上方に向かって縮径するテーパー状の肩部と、その肩部の上端に形成される口部とからなる一体成形体である。肩部と口部の境界には、半径方向内側に凹んだ環状凹部が形成されている。さらに、口部の上端の環状の切り口は、真っ直ぐ上を向いている。前記耐圧容器の材質としては従来のエアゾール容器に用いられているものであれば特に限定はされず、例えばアルミニウムやブリキなどの金属を用いることができる。また、染毛剤などの腐食性の高い内容物を充填する際には、耐圧容器内に樹脂製の内袋やパウチなどを挿入し、耐圧容器に直接内容物が触れないようにしてもよい。
【００２６】
前記２液吐出装置は、２本のエアゾール製品Ａ１およびＡ２を連結する連結部材２２、その連結部材２２に係合する保持部材２１、その保持部材２１内で上下動可能に配置し、両エアゾール製品のステム３１および３２に装着された押ボタン１を備えている。
【００２７】
連結部材２２は、２つのエアゾール製品Ａ１、Ａ２を互いに連結保持するものであり、エアゾール製品Ａ１、Ａ２のエアゾールバルブと嵌合する円筒部と、それらの円筒部同士を連結する連結部を備えている。さらに、天面にはエアゾールバルブのステム３１および３２が貫通する開口部が設けられている。
【００２８】
保持部材２１は、その内部に押ボタン１を上下動可能な状態で保持する上部筒部および連結部材２２を覆うように保持する下部筒部を有している。上部筒部の前面には上端中央から下方に延びる矩形状のスパウト溝（前壁凹部）が形成されており、後面には、上端中央から下方に延びる矩形状の操作溝（後壁凹部）が形成されている。
【００２９】
押ボタン１は、本体、その前面中央から前方に延伸され、２種類のエアゾール組成物をそれぞれ別々の通路から吐出するための内側吐出孔１３と外側吐出孔１５を備えたスパウト部１６、底部に設けられた各エアゾール製品のステム３１および３２を装着するステム装着部１１を備えている。
【００３０】
矩体状の本体内部には、ステム装着部１１に装着されたエアゾール製品Ａ１のステム開口部と内側吐出孔１３とを連通する本体内通路１２、および他方のステム装着部１１に装着されたエアゾール製品Ａ２のステム開口部と外側吐出孔１５とを連通する本体内通路１４が設けられている。本体内通路１２および本体内通路１４の長さは、二重吐出物の内側吐出物が全て外側吐出物に包囲されやすくなるように、ステム開口部から内側吐出孔までの距離が外側吐出孔よりも短くなるように設けられている。
【００３１】
スパウト部１６は、直径の異なる内側ノズルと外側ノズルが同心円状に配置された形状であり、内側ノズルの開口部である内側吐出孔１３および外側ノズルと内側ノズルとの間で形成された開口部である外側吐出孔１５を有する。
【００３２】
図１（Ｂ）に示す内側ノズルおよび外側ノズルの本体から延伸された長さは同じ、つまり両ノズルの端面（内側吐出孔１３および外側吐出孔１５）が同一面上に存在するが、二重吐出物の内側吐出物が全て外側吐出物に包囲されやすくなるように、内側ノズルを外側ノズルよりも短くするなど、各エアゾール組成物の特性や発泡性などに応じて各ノズルの長さを適宜調整することができる。
【００３３】
図１（Ａ）および（Ｂ）に示す実施形態における２液型エアゾール製品のエアゾール組成物が吐出される過程および状態について説明する。まず、押ボタン１を指などで下方向に押圧し、エアゾール製品Ａ１およびＡ２の両ステムを同時に押し込むことでエアゾールバルブのステム孔が開き、両エアゾール容器内と大気とが連通する。エアゾール製品Ａ１に充填されていたエアゾール組成物ａ１はステム３１の開口部を通り、本体内通路１２を経て内側吐出孔１３から吐出される（内側吐出物）。同時に、エアゾール製品Ａ２に充填されていたエアゾール組成物ａ２は、ステム３２の開口部を通り、本体内通路１４を経て外側吐出孔１５から吐出される（外側吐出物）。そして、両吐出物は内側吐出孔１３および外側吐出孔１５の形状に倣って吐出されるため、内側吐出物が外側吐出物により包囲された二重吐出物を形成する。
【００３４】
エアゾール製品Ａ１のステム３１から内側吐出孔１３までの吐出経路Ｘ１と、エアゾール製品Ａ２のステム３２から外側吐出孔１５までの吐出経路Ｘ２とが、それぞれ独立して設けられていることが好ましい。各吐出経路が独立していることにより、吐出されるまで両エアゾール組成物が混ざり合うことなく移動するため、内側吐出物が外側吐出物に包囲された二重吐出物を形成しやすくなる。さらに、エアゾール組成物が２液式染毛剤などの２液が反応する組成物であっても、反応物が吐出経路中で固まり残留することがない。
【００３５】
図２に示すエアゾール製品は、１つの耐圧容器内が中栓により分断され、各収容部にエアゾール組成物が充填されたエアゾール製品Ｂ、および各収容部に充填されたエアゾール組成物を二重吐出物として吐出する２液吐出部材４からなる。
【００３６】
エアゾール製品Ｂは、有底筒状の耐圧容器、耐圧容器内を上下に分断する中栓６４、中栓６４の中心部に挿入されたチューブ装着部材６３、耐圧容器の開口部を閉じる２液吐出エアゾールバルブ、２液吐出エアゾールバルブのハウジング６１とチューブ装着部材６３との間に装着されたチューブ６２、および上下の各収容部に充填されたエアゾール組成物（下収容部に充填されたエアゾール組成物ｂ１および上収容部に充填されたエアゾール組成物ｂ２）を有する。
【００３７】
前記耐圧容器は、下端が底部によって閉じられた円筒状の胴部と、胴部の上端から上方に向かって縮径するテーパー状の肩部と、肩部上端に環状に形成されたビード部とを備えている。胴部の中央部には、半径方向内側に突出した３本の環状リブが形成されている（図２参照）。図２では環状リブが等間隔で設けられているが、１つのリブから構成されてもよい。材質としては従来のエアゾール容器に用いられている物であれば特に限定されず、例えばアルミニウムやブリキなどの金属を用いることができる。
【００３８】
中栓６４は耐圧容器の内面と当接する円板状のものであり、中心にチューブ装着部材を挿入する挿入孔を有し、側面外周に上下に並んだ２つの環状凹部を有し、そして、環状凹部を繋ぐ円筒面を有している。この環状凹部に、それぞれＯリング６６が装着される。この中栓６４は、耐圧容器の環状リブ挟まれて、耐圧容器内に固定される。そして、Ｏリング６６が耐圧容器の環状リブの間の内面によって押圧され、弾性変形され上下の収容部の間がシールされる。
【００３９】
チューブ装着部材６３は、円筒状の胴部と、胴部の上部に半径方向外側に広がり中栓６４の上面部に係止する上係止爪および胴部の下端に半径方向外側に広がり中栓６４の下面部に係止する下係止爪を備えており、これらの係止爪により中栓６４の貫通孔に係合している。さらに、チューブ装着部材６３の胴部外面に環状の凹部が形成され、この環状凹部にＯリング６５が装着される。Ｏリング６５を介することでチューブ装着部材６３と中栓６４間の遮断性を保つことができる。
【００４０】
また、チューブ装着部材６３は中心にチューブ６２を挿入する挿入孔を有し、その挿入孔にチューブ６２の下部が装着されている。そして、チューブ６２の上部はハウジング６１に装着されていることにより、下収容部とハウジング６１の内部とが連通する。
【００４１】
前記２液吐出エアゾールバルブは、耐圧容器のビード部に固着されるマウンティングキャップと、マウンティングキャップの中央に保持されるハウジング６１と、ハウジング６１に上下動自在に収容され、内側ステム内通路５１および外側ステム内通路５２を備えたステム５、内側ステム内通路５１とハウジング内部（下部）との間のステム孔を開閉する下ステムラバーおよび外側ステム内通路５２とハウジング内部（上部）との間のステム孔を開閉する上ステムラバー、ステム５を常時上向きに付勢し、各ステム孔が各ステムラバーによりシールされる位置にするスプリングとからなる。
【００４２】
ハウジング６１は、スプリングを支持する底部と、底部から上方に伸びる筒状の胴部と、胴部の上部内面に２つのステムラバーを保持するラバー保持部と、胴部の上部外面に外側に突出するフランジ部と、底部から下方に伸びる筒状部と、底部の中心にハウジング内部（下部）と下収容部とをチューブ６２を介して連通する下孔と、フランジ部にハウジング内部（上部）と上収容部とを連通する横孔とを備えている。
【００４３】
ステム５は、外筒の中に外筒の内径よりいくらか細い外径の内筒を上端が突出するように、隙間を介して同心状に形成され、外筒と内筒の間の外側ステム内通路５２と、内筒内の内側ステム内通路５１との２つの独立した通路を備えている。また、内側ステム内通路５１の下部とハウジング６１内部（下部）とを連通するステム孔、外側ステム内通路５２の下部とハウジング６１内部（上部）とを連通するステム孔を備える。ステム５の下部が常時スプリングによって上方に付勢されることで、各ステム孔が各ステムラバーにより塞がれ、ハウジング６１内部と各ステム内通路とが遮断される。
【００４４】
２液吐出部材４は円筒状の本体、その側面から前方に延伸され２種類のエアゾール組成物をそれぞれ別々の通路から吐出するための内側吐出孔４１および外側吐出孔４２を備えたノズル部、底部に設けられたエアゾール製品のステム５を装着するステム装着部を備えている。また、その内部には、内側吐出孔４１と内側ステム内通路５１とを連通する吐出経路Ｙ１、および外側吐出孔４２と外側ステム内通路５２とを連通する吐出経路Ｙ２を備える。
【００４５】
ノズル部は、直径の異なる内側ノズルと外側ノズルが同心円状に配置された形状であり、内側ノズルの開口部である内側吐出孔４１および外側ノズルと内側ノズルとの間で形成された開口部である外側吐出孔４２を有する。また、図２に示す内側ノズルおよび外側ノズルの本体から延伸された長さは同じ、つまり両ノズルの端面（内側吐出孔４１および外側吐出孔４２）が同一面上に存在するが、二重吐出物の内側吐出物が全て外側吐出物に包囲されやすくなるように、内側ノズルを外側ノズルよりも短くするなど、各エアゾール組成物の特性や発泡性などに応じて各ノズルの長さを適宜調整することができる。
【００４６】
図２に示す実施形態における２液型エアゾール製品のエアゾール組成物が吐出される過程および状態について説明する。まず、エアゾール製品を倒立にして、２液吐出部材４を指などで耐圧容器側（図２における下方向）に押圧し、エアゾール製品Ｂのステム５を押し込むことで、各ステムラバーに遮断されていたハウジング内部（下部）と内側ステム内通路５１とを連通するステム孔およびハウジング内部（上部）と外側ステム内通路５２とを連通するステム孔が開放される。これにより、耐圧容器の下収容部に充填されたエアゾール組成物ｂ１が、チューブ６２、ハウジング６１内（下部）、ステム孔、内側ステム内通路５１を経て内側吐出孔４１から吐出される（内側吐出物）。同時に、耐圧容器の上収容部に充填されたエアゾール組成物ｂ２が、ハウジング６１内（上部）、ステム孔、外側ステム内通路５２を経て外側吐出孔４２から吐出される（外側吐出物）。そして、両吐出物は内側吐出孔４１および外側吐出孔４２の形状に倣って吐出されるため、内側吐出物が外側吐出物により包囲された二重吐出物を形成する。なお、図は正立であるが、使用時には倒立にして使用する。
【００４７】
図１に示した実施形態と同様、エアゾール組成物ｂ１の吐出経路Ｙ１およびエアゾール組成物ｂ２の吐出経路Ｙ２が、それぞれ独立して設けられていることが好ましい。このように各吐出経路が独立していることにより、吐出されるまで両エアゾール組成物が混ざり合うことなく移動するため、内側吐出物が外側吐出物に包囲された二重吐出物を形成しやすくなる。
【００４８】
図３に示すエアゾール製品Ｃは、外部容器内に内部容器を有し、内部容器内および外部容器と内部容器との間にエアゾール組成物が充填されたエアゾール製品であり、図２に示す２液吐出部材４を装着することで二重吐出物を吐出することができる。
【００４９】
エアゾール製品Ｃは、内部を視認できる外部容器７１、連結部材７３、内部容器７２およびステム５を有する２液吐出エアゾールバルブを有する二重構造容器、ならびに内部容器７２に充填された内容物ｃ１および外部容器７１と内部容器７２との間の空間に充填された内容物ｃ２からなるエアゾール製品である。
【００５０】
外部容器７１は、内部を視認できる合成樹脂製の耐圧容器であるため、内部容器の形状や大きさを目視で確認することができ、内容物の残量を容易に確認できる。さらに、内部容器の少なくとも一部が内部を視認できるシートで構成されている場合は、内容物の外観残量などを視認することができる。
【００５１】
外部容器７１は、底部、筒状の胴部、テーパー状の肩部、円筒状の首部およびその上端に肉厚の口部を備えている。首部および口部は同軸に並んでおり、内径を同じとしている。つまり、口部の外周面は、首部の外周面より半径方向外側に突出している。
【００５２】
外部容器７１としては、ポリエチレンテレフタレート、ポリシクロヘキサンジメチレンテレフタレートなどのポリエステル、ナイロンなどのポリアミド、ポリエチレン、ポリプロピレンなどのポリオレフィンなどの透光性を有する合成樹脂からなる有底筒状のパリソンを軸方向に伸ばしながら内部に空気を吹き込んで膨らます２軸延伸ブロー成型によって成型されたものを使用することができる。筒状のパリソンをダイレクトブロー成型により成型したものでもよい。また、外部容器７１は合成樹脂に紫外線吸収剤や顔料を含有して成型することにより、紫外線に対する内容物の安定性を向上させることができる。さらに、外部容器の内面および／または外面に炭素やシリカなどを、透過性を損なわない程度に蒸着することにより、加圧剤や原液中の水分などの透過を防止することができる。なお、合成樹脂以外にもソーダガラスやホウケイ酸ガラスなどのガラスを用いてもよい。その場合は、合成樹脂を変質、分解させるような内容物（２液式染毛剤の１剤：アルカリ）であっても安定に保管できる。
【００５３】
内部容器７２は、可撓性の収容部、および、収容部の開口部と貼着して一体化し、バルブアッセンブリに連結する連結部材７３とからなる。
【００５４】
収容部は、複数枚のシートを重ね合わせ、または、１枚のシートを折り合わせた後、周縁部を熱溶着や接着などにより貼り合わせたパウチであり、開口部は連結部材７３の貼着部に溶着や接着などで貼着されている。
【００５５】
当該パウチを構成するシートとしては、例えば、ポリエチレン（ＰＥ）、ポリプロピレン（ＰＰ）、ポリエチレンテレフタレート（ＰＥＴ）などの耐薬品性に優れた耐薬品シート、ナイロン（ＮＹ）、エバール（ＥＶＯＨ）などガスバリア性に優れたガスバリアシートなどの単層シートまたはこれらを積層した積層シートなどの合成樹脂シート、前記樹脂シートにシリカ（Ｓｉ）やアルミナ（Ａｌ2Ｏ3）、炭素（Ｃ）などを蒸着した蒸着樹脂シート、アルミニウム（Ａｌ箔）などの金属箔シート、金属箔シートと合成樹脂シートを積層した金属／樹脂シートなどが挙げられる。これらの材質は収容部に充填される内容物や吐出製品の使用目的に応じて適宜選択することができる。なかでも、充填された内容物の外観が視認でき、吐出した時の発泡による変化が強調されることから、少なくとも一部が内部を視認できるシートで構成されたパウチとすることが好ましい。内部を視認できるパウチとしては、合成樹脂シートで製袋したパウチ、合成樹脂シートと蒸着樹脂シートで製袋したパウチ、合成樹脂シートと金属箔シートで製袋したパウチ、一部蒸着していない蒸着樹脂シートで製袋したパウチなどが挙げられ、合成樹脂シートには耐薬品シートとガスバリアシートを積層した積層シートを用いることが、内容物中の噴射剤がパウチを透過してもう一方の内容物へ移ることがなく、内容物の組成が変わらないという理由から好ましい。
【００５６】
連結部材７３は、収容部の開口部をその外周面に貼着する柱状の貼着部と、パウチの開口部から底部まで延伸された下部筒部、および、２液吐出エアゾールバルブのハウジングと連結する上部筒部を備えている。連結部材の材料としては、ポリエチレン、ポリプロピレン、ポリエチレンテレフタレート、ポリブチレンテレフタレート、ナイロン、ポリアセタール等の合成樹脂が挙げられ、パウチを構成するシートの最内層と同じ材質を用いることが、加熱や超音波などによる溶着が容易になるという理由から好ましい。
【００５７】
前記２液式エアゾールバルブは図２に示すものと同様のものが使用できる。また、前述のように図２に示す２液吐出部材４を装着することで二重吐出物を吐出することができる。
【００５８】
図３に示す実施形態における２液型エアゾール製品のエアゾール組成物が吐出される過程および状態について説明する。まず、エアゾール製品を倒立にして、２液吐出部材（図示せず）を指などで耐圧容器側（図２における下方向）に押圧し、エアゾール製品Ｃのステム５を押し込むことで、各ステムラバーに遮断されていたハウジング内部（下部）と内側ステム内通路５１とを連通するステム孔およびハウジング内部（上部）と外側ステム内通路５２とを連通するステム孔が開放される。これにより、内部容器に充填されたエアゾール組成物ｃ１が、連結部材７３の下部筒部、ハウジング６１内（下部）、ステム孔、内側ステム内通路５１を経て内側吐出孔（図示せず）から吐出される（内側吐出物）。同時に、外部容器と内部容器の間の空間に充填されたエアゾール組成物ｃ２が、ハウジング６１内（上部）、ステム孔、外側ステム内通路５２を経て外側吐出孔（図示せず）から吐出される（外側吐出物）。そして、両吐出物は内側吐出孔および外側吐出孔の形状に倣って吐出されるため、内側吐出物が外側吐出物により包囲された二重吐出物を形成する。なお、図は正立であるが、使用時には倒立にして使用する。
【００５９】
図２に示した実施形態と同様、エアゾール組成物ｃ１の吐出経路およびエアゾール組成物ｃ２の吐出経路が、それぞれ独立して設けられていることが好ましい。このように各吐出経路が独立していることにより、吐出されるまで両エアゾール組成物が混ざり合うことなく移動するため、内側吐出物が外側吐出物に包囲された二重吐出物を形成しやすくなる。
【００６０】
図３の形態では、内部容器に充填した内容物が内側吐出物になるため、後述する噴射剤の含有量や種類を組み合わせて、外側吐出物よりも吐出後の密度が小さい内容物としている。詳しくは、エアゾール組成物ｃ１の噴射剤の含有量をエアゾール組成物ｃ２よりも多くするなどの方法が挙げられる。なお、内部容器に噴射剤を充填する場合、内部容器内の圧力が高くなり過ぎると内部容器が破裂する危険性があるため、内部容器と外部容器の間の空間には内部容器内の圧力よりも高くしておくことが好ましい。
【００６１】
図４に示すエアゾール製品Ｄは、外部容器内に内部容器を有し、内部容器内および外部容器と内部容器との間にエアゾール組成物が充填されたエアゾール製品であり、図１に示す押ボタン１と同様の２液吐出装置を装着することで二重吐出物を吐出することができる。
【００６２】
エアゾール製品Ｄは、内部を視認できる外部容器９１、２つのエアゾールバルブを有するバルブアッセンブリおよび一方のエアゾールバルブに接続された内部容器９４を有する二重構造容器、ならびに内部容器９４に充填された内容物ｄ２および外部容器９１と内部容器９４との間の空間に充填された内容物ｄ１からなるエアゾール製品である。
【００６３】
外部容器９１としては、図３に示した実施形態と同様のものが挙げられる。
【００６４】
内部容器９４は、可撓性の収容部と、その開口部に貼着された連結部材９２とからなり、一方のエアゾールバルブにのみ接続されている。
【００６５】
収容部は、図３に示した実施形態と同様に、複数枚のシートを重ね合わせ、または、１枚のシートを折り合わせた後、周縁部を熱溶着や接着などにより貼り合わせたパウチである。収容部を構成するシートとしては、図３に示した実施形態と同様のものが挙げられる。
【００６６】
連結部材９２は、下部に収容部の開口部を貼着する面を有する貼着部を備えており、上部に各エアゾールバルブのハウジングと連結する筒状の連結部を備えている。なお、貼着部にシートを接着しても良い。また、連結部材の内部には、流路部材（チューブ）を挿入するための上下に貫通する貫通孔が形成されている。連結部材の材料としては、ポリエチレン、ポリプロピレン、ポリエチレンテレフタレート、ポリブチレンテレフタレート、ナイロン、ポリアセタール等の合成樹脂が挙げられ、収容部を構成するシートの最内層と同じ材質を用いることで加熱や超音波などによる溶着が容易になり好ましい。
【００６７】
連結部材９２の下部筒部には、パウチの開口部から底部に伸びたチューブ９３が装着されている。
【００６８】
前記バルブアッセンブリは、外部容器９１の開口部を閉じるバルブホルダー、そのバルブホルダーに保持され内部容器９４に接続された吐出バルブおよび内部容器が接続されておらず、下筒部に外部容器９１の底部に伸びたチューブ９５が装着された吐出バルブ、ならびに、バルブホルダーおよび両エアゾールバルブを覆うように固定し、かつ、バルブホルダーを外部容器９１の開口部に固定するマウンティングカップとからなる。
【００６９】
バルブホルダーは、外部容器９１の開口部内面に沿って挿入される円柱状の栓部と、外部容器９１の上部に配置される円柱状の蓋部と、蓋部の下端に形成され、半径方向外側に突出するフランジ部とを有する。フランジ部は、外部容器９１の口部の上面に配置される。栓部の外周には、Ｏリングを保持する環状凹部が形成されている。また、バルブホルダーには、栓部から蓋部にかけて上下に貫通して形成された２つの筒状のホルダー部を備え、これらのホルダー部に両エアゾールバルブが嵌合される。
【００７０】
ホルダー部は、栓部から蓋部にかけて上下に貫通する貫通孔と、その外側に設けられる環状の係止溝と、貫通孔内に下方に向かって縮径するように設けられた環状の段部とを備えている。
【００７１】
前記両エアゾールバルブは同じものであるが、一方は内部容器９４が接続され、他方はチューブ９５を介して外部容器９１と内部容器９４との間の空間と外部とを連通させるものである。
【００７２】
両エアゾールバルブのハウジングは、スプリングを支持する環状の底部と、上部内面に形成されたステムラバーを保持する環状のラバー保持部と、上部外面に形成された半径方向外側に突出する環状のフランジ部と、そのフランジ部の下方に設けられた環状の溝部と、下面に形成された下方に突出する筒状の連結部とからなる。なお、環状の溝部には、Ｏリングが保持される。
【００７３】
両エアゾールバルブは、カバーの上部側面を各ハウジングの半径方向に環状にカシメることによりステムおよびステムラバーを各ハウジングに固定し、ステム孔をステムラバーにより常時シールする。
【００７４】
両エアゾールバルブは、バルブホルダーのホルダー部の貫通孔に挿入される。その際、各エアゾールバルブのカバーの下端が係止溝に挿入され、各エアゾールバルブの各Ｏリングは段部に当接されることで貫通孔と各エアゾールバルブとの間がシールされる。
【００７５】
マウンティングカップは、バルブホルダーならびに各エアゾールバルブおよびを覆う円筒状のカバー部と、バルブホルダーのフランジ部と外部容器９１の口部とを固定し、カバー部より大きい径の円筒状の固定部とを有する。カバー部は、その上底にエアゾールバルブのステムを通す２つの挿通孔を有している。また、カバー部は、その上底の下面と各エアゾールバルブおよびのカバーの上面とが当接するように下方に押し付けられた状態でカシメられており、上面に凹み部が形成されている。
【００７６】
前述のように図１に示す押ボタン１を両エアゾールバルブのステム８１および８２に装着することで二重吐出物を吐出することができるエアゾール製品となる。
【００７７】
図４に示す実施形態における２液型エアゾール製品のエアゾール組成物が吐出される過程および状態について説明する。まず、押ボタン（図示せず）を指などで下方向に押圧し、エアゾール製品Ｄのステム８１、８２を同時に押し込むことでエアゾールバルブのステム孔が開き、外部容器９１と内部容器９２の間の空間と内部容器９２内がそれぞれ大気と連通する。外部容器と内部容器の間の空間に充填されていたエアゾール組成物ｄ１はチューブ９５、ハウジング、ステム８１の開口部を通り、本体内通路（図示せず）を経て内側吐出孔（図示せず）から吐出される（内側吐出物）。同時に、内部容器９４に充填されていたエアゾール組成物ｄ２は、チューブ９３、ハウジング、ステム８２の開口部を通り、本体内通路（図示せず）を経て外側吐出孔（図示せず）から吐出される（外側吐出物）。そして、両吐出物は内側吐出孔および外側吐出孔の形状に倣って吐出されるため、内側吐出物が外側吐出物により包囲された二重吐出物を形成する。なお、図３と同じように、噴射剤の含有量や種類を組み合わせて、内部容器に内側吐出物となるエアゾール組成物を充填し、外部容器と内部容器の間の空間に外側吐出物となるエアゾール組成物を充填しても良い。
【００７８】
図１に示した実施形態と同様、エアゾール組成物ｄ１の吐出経路およびエアゾール組成物ｄ２の吐出経路が、それぞれ独立して設けられていることが好ましい。このように各吐出経路が独立していることにより、吐出されるまで両エアゾール組成物が混ざり合うことなく移動するため、内側吐出物が外側吐出物に包囲された二重吐出物を形成しやすくなる。
【００７９】
本発明の２液型エアゾール製品に係るエアゾール組成物は、原液および噴射剤からなるエアゾール組成物であり、内側吐出物が外側吐出物よりも密度が小さい二重吐出物となるよう、含有する成分および噴射剤の種類や含有量を適宜調整すればよい。
【００８０】
外側吐出物
前記外側吐出物としては、ほとんど発泡しない吐出物や、発泡性の低い吐出物が好ましく、例えば、クリーム、ゲル、発泡性の低い泡などが挙げられる。なお、発泡性の低い吐出物とは、単独で吐出し、吐出物が吐出後に発泡して安定した泡を形成したときの２５℃における吐出物の密度が０．０３〜１．０ｇ／ｍｌであることが好ましい。
【００８１】
前記外側吐出物がクリームの場合、当該外側吐出物となるエアゾール組成物は原液中に界面活性剤、油分、水を含有する。
【００８２】
前記界面活性剤としては、例えば、グリセリン脂肪酸エステル、ポリグリセリン脂肪酸エステル、ソルビタン脂肪酸エステル、ＰＯＥ脂肪酸エステル、ＰＯＥ硬化ヒマシ油、ＰＯＥアルキルエーテル、ＰＯＥ・ＰＯＰアルキルエーテルなどのノニオン性界面活性剤、アニオン性界面活性剤、アルキルリン酸塩、アルキル硫酸塩、ＰＯＥアルキルエーテル硫酸塩などのアニオン性界面活性剤、ラウリルベタインなどの両性界面活性剤、アニオン性界面活性剤、ポリオキシエチレン・メチルポリシロキサン共重合体などのシリコン系界面活性剤などが挙げられる。
【００８３】
前記油分としては、例えば、炭化水素油、エステル油、シリコーンオイル、油脂などの液体油分、高級アルコール、高級脂肪酸、ロウ類などの固形油分などが挙げられる。
【００８４】
前記原液中には界面活性剤、油分、水の他に必要に応じて、１価の低級アルコール、多価アルコール、水溶性高分子、粉体、有効成分などを含有してもよい。
【００８５】
前記原液の含有量は、エアゾール組成物（クリームの場合）中に８５〜９９．９質量％が好ましく、９０〜９９．８質量％がさらに好ましい。
【００８６】
前記エアゾール組成物（クリームの場合）は、噴射剤として液化石油ガス、ジメチルエーテルなどの液化ガス、窒素ガス、炭酸ガスなどの圧縮ガスおよびこれらの混合ガスなどを含有してもよい。
【００８７】
前記噴射剤として、液化石油ガスを用いた場合は、クリームを発泡させることができ、ジメチルエーテルを用いた場合は、ジメチルエーテルの気化熱で冷却し、冷たいクリームにすることができる。
【００８８】
前記液化ガスを含有する場合の含有量は、エアゾール組成物（クリームの場合）中に１〜１５質量％が好ましく、２〜１０質量％がさらに好ましい。
【００８９】
前記噴射剤として、炭酸ガスを用いた場合は、クリームを微発泡させることができ、窒素ガスを用いた場合は、クリームのまま吐出することができる。
【００９０】
前記圧縮ガスを含有する場合の含有量は、耐圧容器内の２５℃における圧力が０．２〜０．９ＭＰａが好ましく、０．３〜０．８ＭＰａがさらに好ましい。なお、液化ガスと圧縮ガスを併用してもよい。
【００９１】
前記外側吐出物がゲルの場合、当該外側吐出物となるエアゾール組成物は原液中に水溶性高分子、水を含有する。
【００９２】
前記水溶性高分子としては、例えば、キサンタンガムなどの微生物系多糖類、カラギーナンなどの植物系多糖類、カルボキシビニルポリマーなどのアクリル酸やイタコン酸エステルからなる共重合体などの架橋型アクリル系高分子、ヒドロキシエチルセルロースなどのセルロース系高分子などが挙げられる。
【００９３】
前記原液中には水溶性高分子、水の他に必要に応じて、界面活性剤、１価の低級アルコール、多価アルコール、油分、粉体、有効成分などを含有してもよい。
【００９４】
前記原液の含有量は、エアゾール組成物（ゲルの場合）中に６０〜９５質量％が好ましく、７０〜９０質量％がさらに好ましい。
【００９５】
前記エアゾール組成物（ゲルの場合）は、噴射剤として液化石油ガス、ジメチルエーテルなどの液化ガス、窒素ガス、炭酸ガスなどの圧縮ガスおよびこれらの混合ガスなどを含有してもよい。
【００９６】
前記噴射剤として、液化石油ガスを用いた場合は、ゲルを発泡させることができ、ジメチルエーテルを用いた場合は、ジメチルエーテルの気化熱で冷却し、冷たいゲルにすることができる。
【００９７】
前記液化ガスを含有する場合の含有量は、エアゾール組成物（ゲルの場合）中に５〜４０質量％が好ましく、１０〜３０質量％がさらに好ましい。
【００９８】
前記噴射剤として、炭酸ガスを用いた場合は、ゲルを微発泡させることができ、窒素ガスを用いた場合は、ゲルのまま吐出することができる。
【００９９】
前記圧縮ガスを含有する場合の含有量は、耐圧容器内の２５℃における圧力が０．２〜０．９ＭＰａが好ましく、０．３〜０．８ＭＰａがさらに好ましい。なお、液化ガスと圧縮ガスを併用してもよい。
【０１００】
前記外側吐出物が発泡性の低い泡の場合、当該外側吐出物となるエアゾール組成物は原液中に界面活性剤、水を含有している。
【０１０１】
前記界面活性剤としては、例えば、グリセリン脂肪酸エステル、ポリグリセリン脂肪酸エステル、ソルビタン脂肪酸エステル、ＰＯＥ脂肪酸エステル、ＰＯＥ硬化ヒマシ油、ＰＯＥアルキルエーテル、ＰＯＥ・ＰＯＰアルキルエーテルなどのノニオン性界面活性剤、アニオン性界面活性剤、アルキルリン酸塩、アルキル硫酸塩、ＰＯＥアルキルエーテル硫酸塩などのアニオン性界面活性剤、ラウリルベタインなどの両性界面活性剤、アニオン性界面活性剤、ポリオキシエチレン・メチルポリシロキサン共重合体などのシリコン系界面活性剤などが挙げられる。
【０１０２】
前記原液中には界面活性剤、水の他に必要に応じて、１価の低級アルコール、多価アルコール、水溶性高分子、油分、粉体、有効成分などを含有してもよい。
【０１０３】
前記１価の低級アルコールを含有することにより、吐出物の消泡性が良くなり、内側吐出物が外側吐出物の隙間を押し広げ、さらにその隙間で消泡し液状化するため、両吐出物が混ざりやすくなる。
【０１０４】
前記１価の低級アルコールを含有する場合の含有量は、原液中に３〜３０質量％が好ましく、５〜２５質量％が好ましい。前記上限を上回ると、吐出物が発泡しにくくなる傾向がある。また、前記下限を下回ると低級アルコールを含有することによる効果が得られない傾向がある。
【０１０５】
前記原液の含有量は、エアゾール組成物（発泡性の低い泡の場合）中に９０〜９９質量％が好ましく、９２〜９８質量％がさらに好ましい。
【０１０６】
前記エアゾール組成物（発泡性の低い泡の場合）は、噴射剤として液化石油ガス、ジメチルエーテルなどの液化ガスを用いることが好ましく、窒素ガス、炭酸ガスなどの圧縮ガスを混合ガスしてもよい。
【０１０７】
前記液化ガスを含有する場合の含有量は、エアゾール組成物（発泡性の低い泡の場合）中に１〜１０質量％、さらに２〜８質量％であることが好ましい。
【０１０８】
前記圧縮ガスを含有する場合の含有量は、耐圧容器内の２５℃における圧力が０．２〜０．７ＭＰａが好ましく、さらに０．３〜０．６ＭＰａがさらに好ましい。
【０１０９】
内側吐出物
前記内側吐出物としては、発泡性の高い吐出物が好ましく、例えば、発泡性の高い泡などが挙げられる。発泡性が高い吐出物とは、単独で吐出し、吐出物が吐出後に発泡して安定した泡を形成したときの２５℃における吐出物の密度が０．００１〜０．１０ｇ／ｍｌであることが好ましい。
【０１１０】
前記内側吐出物が発泡性の高い泡の場合、当該内側吐出物となるエアゾール組成物は原液中に界面活性剤、水を含有している。
【０１１１】
前記界面活性剤としては、例えば、グリセリン脂肪酸エステル、ポリグリセリン脂肪酸エステル、ソルビタン脂肪酸エステル、ＰＯＥ脂肪酸エステル、ＰＯＥ硬化ヒマシ油、ＰＯＥアルキルエーテル、ＰＯＥ・ＰＯＰアルキルエーテルなどのノニオン性界面活性剤、アニオン性界面活性剤、アルキルリン酸塩、アルキル硫酸塩、ＰＯＥアルキルエーテル硫酸塩などのアニオン性界面活性剤、ラウリルベタインなどの両性界面活性剤、アニオン性界面活性剤、ポリオキシエチレン・メチルポリシロキサン共重合体などのシリコン系界面活性剤などが挙げられる。
【０１１２】
前記原液中には界面活性剤、水の他に必要に応じて、１価の低級アルコール、多価アルコール、水溶性高分子、油分、粉体、有効成分などを含有してもよい。
【０１１３】
前記原液の含有量は、エアゾール組成物（発泡性の高い泡の場合）中に２５〜９５質量％が好ましく、３０〜９０質量％がさらに好ましい。
【０１１４】
前記エアゾール組成物は、噴射剤として液化石油ガス、ジメチルエーテルなどの液化ガスを用いることが好ましく、窒素ガス、炭酸ガスなどの圧縮ガスを混合してもよい。
【０１１５】
前記液化ガスを含有する場合の含有量は、エアゾール組成物（発泡性の高い泡の場合）中に５〜７５質量％が好ましく、１０〜７０質量％がさらに好ましい。
【０１１６】
前記圧縮ガスを含有する場合の含有量は、耐圧容器内の２５℃における圧力が０．２〜０．７ＭＰａが好ましく、０．３〜０．６ＭＰａがさらに好ましい。なお、液化ガスと圧縮ガスを併用してもよい。
【０１１７】
前述した各エアゾール組成物（外側吐出物となるエアゾール組成物および内側吐出物となるエアゾール組成物）が含有できる有効成分としては、
例えば、
パラフェニレンジアミン、硫酸パラフェニレンジアミン、パラアミノフェノール、メタアミノフェノールなどの酸化染料；
アマランス（赤色２号）、ローズベンガル（赤色１０５号）、タートラジン（黄色４号）、ファストグリーン（緑色３号）、ブリリアントブルーＦＣＦ（青色１号）、レゾルシンブラウン（かっ色２０１号）、ナフトールグリーンＢ（緑色４０１号）、アリズロールパープル（紫色４０１号）、ナフトールブルーブラック（黒色４０１号）などの酸性染料
４−ニトロ−ｏ−フェニレンジアミン、２−ニトロ−ｐ−フェニレンジアミン、１−アミノ−４−メチルアントラキノンなどの直接染料；
２−アミノ−２−メチル−１−プロパノール、モノエタノールアミン、トリエタノールアミンなどのアルカノールアミンや、アンモニア、水酸化カリウム、炭酸カリウムなどのアルカリ剤；
無水亜硫酸ナトリウム、Ｌ−アスコルビン酸ナトリウム、ペンテト酸、リン酸水素２ナトリウム、エチドロン酸、ＥＤＴＡなどの安定化剤；
トウガラシチンキ、アセチルコリン、センブリエキス、ヨウ化ニンニクエキス、イチョウエキス、センブリ抽出エキス、オトギリソウエキス、ミノキシジル、塩化カルプロニウム、スピロノラクトン、ビタミンＢ６塩酸塩、γ−オリザノール、サークレチン、クロマカリム、セファランチン、ニコランジル、ＤＬ−α−トコフェロール、Ｄ−α−トコフェロール、酢酸ＤＬ−α−トコフェロール、酢酸Ｄ−α−トコフェロール、ニコチン酸、ＤＬ−α−トコフェロールニコチン酸エステル、ニコチン酸アミド、ニコチン酸ベンジル、ピナシジルなどの血行促進剤；
エチレングリコール、ジエチレングリコール、プロピレングリコール、ジプロピレングリコール、１，３−ブチレングリコール、グリセリン、ジグリセリン、コラーゲン、キシリトール、ソルビトール、マルチトール、ヒアルロン酸、ヒアルロン酸ナトリウム、乳酸ナトリウム、ｄｌ−ピロリドンカルボン酸塩、ケラチン、カゼイン、レシチン、尿素などの保湿剤；
カチオン性界面活性剤、シリコーン誘導体などのトリートメント剤；
パラオキシ安息香酸エステル、安息香酸ナトリウム、フェノキシエタノール、塩化ベンザルコニウム、塩化ベンゼトニウム、塩化クロルヘキシジン、パラクロルメタクレゾールなどの殺菌・防腐剤；
パラアミノ安息香酸、パラアミノ安息香酸モノグリセリンエステル、サリチル酸オクチル、サリチル酸フェニル、パラメトキシケイ皮酸イソプロピル、パラメトキシケイ皮酸オクチルなどの紫外線吸収剤；
グリシン、アラニン、ロイシン、セリン、トリプトファン、シスチン、システイン、メチオニン、アスパラギン酸、グルタミン酸、アルギニンなどのアミノ酸；
レチノール、パルミチン酸レチノール、塩酸ピリドキシン、ニコチン酸ベンジル、ニコチン酸アミド、ニコチン酸ｄｌ−α−トコフェロール、ビタミンＤ２（エルゴカシフェロール）、ｄｌ−α−トコフェロール、酢酸ｄｌ−α−トコフェロール、パントテン酸、ビオチンなどのビタミン類；
アスコルビン酸、α−トコフェロール、ジブチルヒドロキシトルエン、ブチルヒドロキシアニソールなどの酸化防止剤；
シャクヤクエキス、ヘチマエキス、バラエキス、レモンエキス、アロエエキス、ショウブ根エキス、ユーカリエキス、セージエキス、茶エキス、海藻エキス、プラセンタエキス、シルク抽出液などの各種抽出液；
ラウリルメタクリレート、ゲラニルクロトレート、ミリスチン酸アセトフェノン、酢酸ベンジル、プロピオン酸ベンジル、安息香酸メチル、フェニル酢酸メチルなどの消臭・防臭剤；
ｌ−メントール、カンフルなどの清涼剤；
クロロヒドロキシアルミニウムなどの制汗剤；
酸化亜鉛、アラントインヒドロキシアルミニウム、タンニン酸、クエン酸、乳酸などの収斂剤；
合成香料、天然香料などの香料；などが挙げられる。
【０１１８】
前述のエアゾール組成物を組み合わせて外側吐出物よりも内側吐出物の密度を小さくすることにより、吐出物が均一に混ざりやすくなる。吐出物の密度を小さくするには、噴射剤の含有量を多くする、蒸気圧の高い液化ガスを使用するなどの方法がある。
【０１１９】
前記外側吐出物と内側吐出物中に液化ガスを含有する場合の含有比は５／９５〜５０／５０とすることにより、吐出後に内側吐出物が膨張し外側吐出物を押し広げて膨らむため、両吐出物が接触する面積が広くなり、混ざりやすい。
【０１２０】
前記内側吐出物の密度が外側吐出物の密度よりも小さいことが好ましく、詳しくは内側吐出物の密度と外側吐出物の密度の比率は１．０：１．５〜１．０：２００が好ましく、１．０：２．０〜１．０：１００がより好ましい。上記の要件を満たすことで、吐出後に内側吐出物が膨張し外側吐出物の隙間を通過しながら押し広げて膨らむため、両吐出物が接触する面積が広くなり、混ざりやすい。しかし、前記上限を超えると、内側吐出物の発泡性が良すぎるため外側吐出物の隙間に入りにくくなり、混ざりにくくなる傾向がある。また、前記下限を下回ると、内側吐出物が外側吐出物を押し広げられず、両吐出物の接触面積が少なく混ざりにくくなる傾向がある。
【実施例】
【０１２１】
以下、実施例によって本発明をより具体的に説明するが、本発明はこれらに限定されるものではない。
【０１２２】
エアゾール製品Ａ〜Ｈ
実施例および比較例に用いる下記の試験用エアゾール製品Ａ〜Ｈを調製した。
【０１２３】
試験用エアゾール製品Ａ
下記の原液１６ｇ（４０質量％）をアルミニウム製耐圧容器（満注量：１００ｍｌ）に充填し、エアゾールバルブを固着した。そして、エアゾールバルブから液化ガス（＊１）２４ｇ（６０質量％）を充填し、試験用エアゾール製品Ａを製造した。
【０１２４】
＜原液＞
ＰＥＧ−２０ソルビタンココエート（＊２）                        １．０
ＰＯＥ（２０）モノステアレート（＊３）                          ０．１
タルク                                                          １．０
メチルパラベン                                                  ０．１
エタノール                                                      ５．０
精製水                                                        ９２．８    
合計（質量％）                                              １００．０
＊１：ノルマルブタンとイソブタンの混合物、２５℃での蒸気圧：０．２０ＭＰａ
＊２：ＮＩＫＫＯＬ  ＴＬ−１０（商品名）、日光ケミカルズ株式会社製
＊３：ＮＩＫＫＯＬ  ＴＳ−１０（商品名）、日光ケミカルズ株式会社製
【０１２５】
試験用エアゾール製品Ｂ
下記の原液１６ｇ（４０質量％）をアルミニウム製耐圧容器（満注量：１００ｍｌ）に充填し、エアゾールバルブを固着した。そして、エアゾールバルブから液化ガス（＊１）２４ｇ（６０質量％）を充填し、試験用エアゾール製品Ｂを製造した。
【０１２６】
＜原液＞
ＰＥＧ−２０ソルビタンココエート（＊２）                        ０．５
ヒドロキシエチルセルロース（＊４）                              １．０
シクロメチコン（＊５）                                          ５．０
グリセリン                                                      １．０
タルク                                                          ０．５
メチルパラベン                                                  ０．１
エタノール                                                    ２０．０
精製水                                                        ７１．９    
合計（質量％）                                              １００．０
＊４：ＨＥＣ−ＳＥ８５０（商品名）、ダイセル化学工業株式会社製
＊５：ＤＣ−３４５（商品名）、東レ・ダウコーニング株式会社製
【０１２７】
試験用エアゾール製品Ｃ
下記の原液１６ｇ（４０質量％）をアルミニウム製耐圧容器（満注量：１００ｍｌ）に充填し、エアゾールバルブを固着した。そして、エアゾールバルブから液化ガス（＊１）２４ｇ（６０質量％）を充填し、試験用エアゾール製品Ｃを製造した。
【０１２８】
＜原液＞
ＰＯＥ（１００）硬化ヒマシ油（＊６）                            ３．０
ＰＥＧ−２０ソルビタンココエート（＊２）                        １．０
ミリスチン酸  （＊７）                                        １０．０
セタノール（＊８）                                              １．０
ゼラチン（＊９）                                                １．５
トリエタノールアミン                                            ３．５
精製水                                                        ８０．０    
合計（質量％）                                              １００．０
＊６：ＮＩＫＫＯＬ  ＨＣＯ−１００（商品名）、日光ケミカルズ株式会社製
＊７：ＬＵＮＡＣ  ＭＹ−９８（商品名）、花王株式会社製
＊８：セタノールＴＫ（商品名）、高級アルコール工業株式会社製
＊９：ＡＰ−１００（商品名）、新田ゼラチン株式会社製
【０１２９】
試験用エアゾール製品Ｄ
下記の原液４６ｇ（９２質量％）をアルミニウム製耐圧容器（満注量：１００ｍｌ）に充填し、エアゾールバルブを固着した。そして、エアゾールバルブから液化ガス（＊１０）４ｇ（８質量％）を充填し、試験用エアゾール製品Ｄを製造した。
【０１３０】
＜原液＞
ＰＥＧ−２０ソルビタンココエート（＊２）                        １．０
メチルパラベン                                                  ０．１
精製水                                                        ９８．９    
合計（質量％）                                              １００．０
＊１０：ノルマルブタン、イソブタンおよびプロパンの混合物、２５℃での蒸気圧：０．４５ＭＰａ
【０１３１】
試験用エアゾール製品Ｅ
下記の原液４２．５ｇ（８５質量％）をアルミニウム製耐圧容器（満注量：１００ｍｌ）に充填し、エアゾールバルブを固着した。そして、エアゾールバルブからイソペンタン７．５ｇ（１５質量％）を充填した後に、２５℃における平衡圧力が０．６ＭＰａとなるように窒素ガスを充填し、試験用エアゾール製品Ｅを製造した。
【０１３２】
＜原液＞
ＰＯＥ（２）セチルエーテル（＊１１）                            １．０
ミリスチン酸（＊７）                                            ４．６
ステアリン酸（＊１２）                                          ２．４
ソルビトール                                                    ５．０
グリセリン                                                    １０．０
トリエタノールアミン                                            ４．３
精製水                                                        ７２．７    
合計（質量％）                                              １００．０
＊１１：ＮＩＫＫＯＬ  ＢＣ−２（商品名）、日光ケミカルズ株式会社製
＊１２：ステアリン酸５５０Ｖ（商品名）、花王株式会社製
【０１３３】
試験用エアゾール製品Ｆ
下記の原液４７．５ｇ（９５質量％）をアルミニウム製耐圧容器（満注量：１００ｍｌ）に充填し、エアゾールバルブを固着した。そして、エアゾールバルブからジメチルエーテル２．５ｇ（５質量％）を充填し、２５℃における平衡圧力が０．６ＭＰａとなるように炭酸ガスを充填し、試験用エアゾール製品Ｆを製造した。
【０１３４】
＜原液＞
ＰＯＥ（２０）ステアリルエーテル（＊１３）                      １．０
ＰＥＧ−４５ステアレート（＊１４）                              ２．０
ステアリルアルコール（＊１５）                                  ２．０
パルミチン酸イソプロピル（＊１６）                              ２．５
精製水                                                        ９２．５    
合計（質量％）                                              １００．０
＊１３：ＮＩＫＫＯＬ  ＢＳ−２０（商品名）、日光ケミカルズ株式会社製
＊１４：ＮＩＫＫＯＬ  ＭＹＳ−４５Ｖ（商品名）、日光ケミカルズ株式会社製
＊１５：カルコール６８５０（商品名）、花王株式会社製
＊１６：ＩＰＰ（商品名）、日光ケミカルズ株式会社製
【０１３５】
試験用エアゾール製品Ｇ
下記の原液１００ｇ（９９．８質量％）を内袋を有するアルミニウム製耐圧容器（内袋の満注量：１００ｍｌ）の内袋に充填し、耐圧容器と内袋の間に窒素ガスをアンダーカップ充填し、エアゾールバルブを固着した。なお、窒素ガスは容器内の２５℃における圧力が０．７ＭＰａとなるように窒素ガスを充填し、試験用エアゾール製品Ｇを製造した。
【０１３６】
＜原液＞
カルボキシビニルポリマー（＊１７）                              ０．５
トリエタノールアミン                                            ０．２
精製水                                                        ９９．３    
合計（質量％）                                              １００．０
＊１７：カーボポールＵＬＴＲＥＺ１０（商品名）、日光ケミカルズ株式会社製
【０１３７】
試験用エアゾール製品Ｈ
下記の原液１００ｇ（１００質量％）を内袋を有するアルミニウム製耐圧容器（内袋の満注量：１００ｍｌ）の内袋に充填し、耐圧容器と内袋の間に窒素ガスをアンダーカップ充填し、エアゾールバルブを固着した。なお、窒素ガスは容器内の２５℃における圧力が０．７ＭＰａとなるように窒素ガスを充填し、試験用エアゾール製品Ｈを製造した。
【０１３８】
＜原液＞
Ｎ−アシル−Ｌ−グルタミン酸ナトリウム（＊１８）                １．０
グリセリンステアレート（＊１９）                                １．０
ステアリン酸（＊１２）                                          ７．０
セタノール（＊８）                                              ２．０
ソルビトール                                                    ３．０
グリセリン                                                      ３．０
メチルパラベン                                                  ０．２
水酸化ナトリウム                                                ０．８
オクテニルコハク酸トウモロコシデンプンＡｌ（＊２０）          １０．０
精製水                                                        ７２．０    
合計（質量％）                                              １００．０
＊１８：アミソフトＧＳ−１１Ｐ（商品名）、味の素株式会社製
＊１９：ＮＩＫＫＯＬ  ＭＧＳ−ＡＳＥＶ（商品名）、日光ケミカルズ株式会社製
＊２０：ＤＲＹ  ＦＬＯ  ＰＵＲＥ（商品名）、アクゾノーベル株式会社製
【０１３９】
実施例１〜６および比較例１〜４
得られた試験用エアゾール製品Ａ〜Ｇについて下記の評価を行った。結果を表１および２に示す。
【０１４０】
（１）吐出物の密度
得られた試験用エアゾール製品を２５℃の恒温水槽中に１時間保持した後、容積２５ｍｌの半球状のガラス容器に吐出した。吐出物の状態が安定したとき（発泡する吐出物の場合は安定した泡を形成したとき）にガラス容器からはみ出た吐出物をすりきり、ガラス容器内の吐出物の質量を測定し、吐出物の密度を算出した。
【０１４１】
（２）吐出物の状態
２５℃の恒温水槽中に１時間保持した試験用エアゾール製品を組み合わせて、図１に示す２液吐出装置を取り付け、試験用２液型エアゾール製品を製造した。得られた試験用２液型エアゾール製品の内容物を同時に吐出し、吐出物の状態を評価した。評価は次の基準とする。
○１：吐出直後は、内側吐出物が外側吐出物に包囲され、その後内側吐出物が外側吐出物を押し広げ内側吐出物が外側に露出した。
○２：内側吐出物が外側吐出物に包囲され、その後もその状態が維持された。
【０１４２】
（３）混合容易性
２５℃の恒温水槽中に１時間保持した試験用エアゾール製品を組み合わせて、図１に示す２液吐出装置を取り付け、試験用２液型エアゾール製品を製造した。得られた試験用２液型エアゾール製品の内容物を、同時に手のひらに吐出し、吐出物を指で混ぜ合わせたときの混合容易性を評価した。評価は次の基準とする。
◎：６秒未満で容易に混合できた。
○：７〜９秒で均一に混合できた。
△：１０〜１５秒で均一に混合できた。
×：１６秒以上で均一に混合できた。
【０１４３】
【表１】
2015163658.tif 000003
【０１４４】
【表２】
2015163658.tif 000004
【符号の説明】
【０１４５】
１      押ボタン
１１    ステム装着部
１２    本体内通路
１３    内側吐出孔
１４    本体内通路
１５    外側吐出孔
１６    スパウト部
２１    保持部材
２２    連結部材
３１、３２    ステム
４      ２液吐出部材
４１    内側吐出孔
４２    外側吐出孔
５      ステム
５１    内側ステム内通路
５２    外側ステム内通路
６１    ハウジング
６２    チューブ
６３    チューブ装着部材
６４    中栓
６５、６６    Ｏリング
７１    外部容器
７２    内部容器
７３    連結部材
８１、８２    ステム
９１    外部容器
９２    連結部材
９３    チューブ
９４    内部容器
９５    チューブ
Ａ１、Ａ２、Ｂ、Ｃ、Ｄ    エアゾール製品
Ｘ１、Ｘ２、Ｙ１、Ｙ２    吐出経路
ａ１、ａ２、ｂ１、ｂ２、ｃ１、ｃ２、ｄ１、ｄ２    エアゾール組成物
【図１】
2015163658.tif 000005
【図２】
2015163658.tif 000006
【図３】
2015163658.tif 000007
【図４】
2015163658.tif 000008